(57)【要約】【課題】回転部の回転角度位置に誤差が生じても原状復帰できる送風装置を提供する。【解決手段】送風装置（除湿機１）は、本体１００に回転可能に配置された回転部（送風部）６４０と、回転部６４０を回転駆動する駆動手段（ステッピングモータ）６２３と、回転部６４０の回転を予め設定した回転角度位置（補正位置）で規制する規制部６０１と、駆動手段６２３を制御する駆動手段制御部（マイコン）８００とを備える。駆動手段制御部８００は、規制部６０１によって回転部６４０の回転が規制されない角度範囲で回転部６４０を連続的に回転させる第１の処理と、規制部６０１によって回転が規制されるまで回転部６４０を回転させ、この回転規制時の回転角度位置を回転部６４０の回転角度の原点とする第２の処理とを実行する。【選択図】図６Ｂ
2016094911.tif 000002
【特許請求の範囲】
【請求項１】
吸込口及び送風手段を有する本体と、
前記本体に回転可能に配置され、前記送風手段により前記吸込口から吸引した空気を吹き出す吹出口を有する回転部と、
前記回転部を正転方向及び逆転方向に回転駆動する駆動手段と、
前記本体に対する前記回転部の回転を予め設定した回転角度位置で規制する規制部と、
前記回転部の正転方向及び逆転方向の回転角度を前記駆動手段を介して制御し、前記規制部によって前記回転部の回転が規制されない角度範囲で前記回転部を連続的に回転させる第１の処理と、前記第１の処理中に前記規制部によって前記回転部の回転が規制されるまで前記回転部を回転させ、この回転規制時の前記回転角度位置を前記回転部の回転角度の原点とする第２の処理とを実行する駆動手段制御部と
を備える、送風装置。
【請求項２】
前記駆動手段制御部は、前記駆動手段への通電時間により前記回転部の回転角度を制御する、請求項１に記載の送風装置。
【請求項３】
前記第２の処理は設定時期毎に実行される、請求項１又は請求項２に記載の送風装置。
【請求項４】
前記駆動手段制御部は、前記第２の処理の実行後に、前記駆動手段を介して前記回転部を前記第２の処理時とは逆向きに前記回転角度位置から所定角度回転させた基準位置を起点とし、前記回転部を正転方向及び逆転方向に回転駆動させる、請求項１乃至請求項３のいずれか１項に記載の送風装置。
【請求項５】
前記駆動手段制御部は、前記第２の処理の実行時に、前記回転部を正転方向及び逆転方向のいずれか一方だけに回転させる、請求項１乃至請求項４のいずれか１項に記載の送風装置。
【請求項６】
前記駆動手段制御部は、前記第２の処理の実行時に、直前の前記第１の処理での回転方向と同一方向に前記回転部を回転させる、請求項１乃至請求項４のいずれか１項に記載の送風装置。
【請求項７】
前記駆動手段制御部は、前記第２の処理の実行時に、直前の前記第１の処理で設定された回転角度に基づいた予定回転位置から、近い側の前記規制部までの予定角度を越えて前記回転部を回転させる、請求項６に記載の送風装置。
【請求項８】
前記回転部は、前記吸込口に連通し上端に開口を有する流入部と、前記流入部から外向きに延び端部に前記吹出口を設けた吹出部とを有し、前記回転部の前記流入部の前記開口は、閉塞部材により塞がれている、請求項１乃至請求項７のいずれか１項に記載の送風装置。
【請求項９】
前記規制部は、前記回転部の前記流入部に設けられた当接部と、前記閉塞部材に設けられ前記当接部に当接する当接受部とを備える、請求項８に記載の送風装置。
【発明の詳細な説明】
【技術分野】
【０００１】
本発明は、送風装置に関する。送風装置とは、吸込口から空気を吸引し、何らかの処理を加え又は加圧以外の処理を加えることなく、吹出口から空気を吹き出す装置をいう。例えば、送風装置には、除湿機、加湿器、空気調和機、サーキュレータ、冷風機、温風機、及び扇風機等が該当する。
【背景技術】
【０００２】
本体に対して回転可能に配置した回転部に吹出口が設けられ、空気の吹出方向を変更可能とした送風装置が知られている。特許文献１には、送風装置の一例である除湿機が開示されている。この除湿機は、本体の上部に駆動用モータによって回転可能とした蓋体を備える。蓋体は、一体に回転可能な載置板を備え、この載置板にモータによって回動可能とした吹出ノズルが更に配置されている。
【０００３】
特許文献１の除湿機は、蓋体を押さえる等の外的負荷が加わると、駆動用モータによる蓋体の回転角度の原点に誤差が生じる。そうすると、予め設定した蓋体の回転角度位置と実際の回転角度位置とに誤差が生じる。特許文献１の除湿機は、誤差が生じた場合の原状復帰について、何ら考慮されていない。
【先行技術文献】
【特許文献】
【０００４】
【特許文献１】特開２００２−１８８８３０号公報
【発明の概要】
【発明が解決しようとする課題】
【０００５】
本発明は、回転部を回転させる回転角度位置に誤差が生じても確実に原状復帰できる送風装置を提供することを課題とする。
【課題を解決するための手段】
【０００６】
本発明は、吸込口及び送風手段を有する本体と、前記本体に回転可能に配置され、前記送風手段により前記吸込口から吸引した空気を吹き出す吹出口を有する回転部と、前記回転部を正転方向及び逆転方向に回転駆動する駆動手段と、前記本体に対する前記回転部の回転を予め設定した回転角度位置で規制する規制部と、前記回転部の正転方向及び逆転方向の回転角度を前記駆動手段を介して制御し、前記規制部によって前記回転部の回転が規制されない角度範囲で前記回転部を連続的に回転させる第１の処理と、前記第１の処理中に前記規制部によって前記回転部の回転が規制されるまで前記回転部を回転させ、この回転規制時の前記回転角度位置を前記回転部の回転角度の原点とする第２の処理とを実行する駆動手段制御部とを備える送風装置を提供する。
【０００７】
ここで、回転部の回転可能な角度範囲は、回転部が正転方向に回転されて規制部に当接する位置から、回転部が逆転方向に回転されて規制部に当接する位置までの第１の角度範囲である。そして、前記規制部によって前記回転部の回転が規制されない角度範囲（第２の角度範囲）とは、前記第１の角度範囲に限らず、第１の角度範囲以下の範囲である。例えば、回転部が正転方向に回転されて規制部に当接する位置から、回転部が逆転方向に回転されて規制部に当接しない位置までであってもよい。また、正転方向及び逆転方向のいずれでも規制部に当接しない位置までであってもよい。第２の処理は、１回の動作で規制部によって回転が規制されるまで回転部を回転させる構成と、第１の処理より広い角度範囲で前記回転部を回転させることにより複数回の動作で規制部によって回転が規制されるまで回転部を回転させる構成を含む。
【０００８】
この送風装置は、第１の処理の実行中に第２の処理を実行することにより、回転部の回転を規制部で規制し、回転部を回転させる駆動手段を空転させ、この回転規制時の回転角度位置を回転部の回転角度の原点とする。そのため、外的要因により回転部の回転角度の原点に誤差が生じた場合でも、駆動手段による回転部の回転角度の原点を補正できる。特に、原点復帰させるために、位置センサ（例えばマイクロスイッチ）のような別部品を使用することなく、位置認識及び位置復帰を行うことができる点で有効である。
【０００９】
前記駆動手段制御部は、前記駆動手段への通電時間により前記回転部の回転角度を制御する。このようにすれば、位置センサのような別部品を使用することなく、確実に回転部に対する駆動手段の原点を補正できる。
【００１０】
前記第２の処理は設定時期毎に実行される。ここで、設定時期とは、予め設定した時間、ユーザが操作により設定した時間、使用環境に応じて予め設定した計算式（プログラム）で設定した時間、設定時刻、及び設定回数中の１回等の定期等を意味し、同じ周期に限らない。このようにすれば、回転部の回転角度を一定に維持できる。
【００１１】
前記駆動手段制御部は、前記第２の処理の実行後に、前記駆動手段を介して前記回転部を前記第２の処理時とは逆向きに前記回転角度位置から所定角度回転させた基準位置を起点とし、前記回転部を正転方向及び逆転方向に回転駆動させる。このようにすれば、予め設定した基準位置を起点とし、両方向にバランスよく空気を吐出できる。
【００１２】
前記駆動手段制御部は、前記第２の処理の実行時に、前記回転部を正転方向及び逆転方向のいずれか一方だけに回転させる。このようにすれば、制御プログラムを簡素化できる。
【００１３】
又は、前記駆動手段制御部は、前記第２の処理の実行時に、直前の前記第１の処理での回転方向と同一方向に前記回転部を回転させる。このようにすれば、原点を補正するための第２の処理の実行時間を短くすることができる。また、回転部が規制部で停止した状態を短くすることができるため、ユーザに違和感を与えることを軽減できる。この場合、前記駆動手段制御部は、前記第２の処理の実行時に、直前の前記第１の処理で設定された回転角度に基づいた予定回転位置から、近い側の前記規制部までの予定角度を越えて前記回転部を回転させることが好ましい。ここで、直前の前記第１の処理で設定された回転角度に基づいた予定回転位置とは、原点に誤差が生じていない状態で、第１の処理で設定された回転角度により、回転が停止（反転）する予定の位置を意味する。また、近い側の規制部までとは、予定回転位置から規制部までの角度が狭い側を意味する。このようにすれば、第２の処理の実行時間を更に短くすることができる。
【００１４】
前記回転部は、前記吸込口に連通し上端に開口を有する流入部と、前記流入部から外向きに延び端部に前記吹出口を設けた吹出部とを有し、前記回転部の前記流入部の前記開口は、閉塞部材により塞がれている。このようにすれば、送風装置の周囲全体に風（空気）を吹き出す（送風する）ことができる。
【００１５】
前記規制部は、前記回転部の前記流入部に設けられた当接部と、前記閉塞部材に設けられ前記当接部に当接する当接受部とを備える。このようにすれば、簡素な構成で確実に回転部の回転を規制（停止）し、駆動手段を空転させることにより、駆動手段の原点を補正できる。
【発明の効果】
【００１６】
本発明の送風装置は、外的要因により回転部の回転角度の原点に誤差が生じても、位置センサのような別部品を使用することなく、回転位置の原点を自動的復帰させ、回転部の回転角度範囲を一定に維持できる。
【図面の簡単な説明】
【００１７】
【図１】本発明の第１実施形態の除湿機の斜視図。
【図２】除湿機の分解斜視図。
【図３Ａ】図２の本体を正面側から見た斜視図。
【図３Ｂ】図２の本体を背面側から見た斜視図。
【図４】除湿機の概念的な断面図。
【図５】除湿機のシステム図。
【図６Ａ】図２のヘッド部を上方から見た分解斜視図。
【図６Ｂ】図２のヘッド部を下方から見た分解斜視図。
【図７】ヘッド部の断面図。
【図８Ａ】規制部を右側から見た分解斜視図。
【図８Ｂ】規制部を左側から見た分解斜視図。
【図９】規制部を示す正面図。
【図１０Ａ】ヘッド部の基準位置を示す平面図。
【図１０Ｂ】図１０Ａの規制状態を示す平面図。
【図１１Ａ】ヘッド部を正転方向の端まで回転させた状態を示す平面図。
【図１１Ｂ】図１１Ａの規制状態を示す平面図。
【図１２Ａ】ヘッド部を逆転方向の端まで回転させた状態を示す平面図。
【図１２Ｂ】図１２Ａの規制状態を示す平面図。
【図１３】除湿機の構成を示すブロック図。
【図１４】駆動手段制御部による制御の一例を示す図表。
【図１５】駆動手段制御部による制御を示すフローチャート。
【図１６】第２実施形態の駆動手段制御部による制御概念を示す平面図。
【図１７】第２実施形態の制御の一例を示す図表。
【発明を実施するための形態】
【００１８】
以下、本発明の実施の形態を図面に従って説明する。なお、以下の説明では、必要に応じて特定の方向や位置を示す用語（例えば、「上」、「下」、「側」、「端」を含む用語）を用いるが、それらの用語の使用は図面を参照した発明の理解を容易にするためであって、それらの用語の意味によって本発明の技術的範囲が限定されるものではない。また、以下の説明は、本質的に例示に過ぎず、本発明、その適用物、あるいは、その用途を制限することを意図するものではない。
【００１９】
（第１実施形態）
図１から図３Ｂは本発明の第１実施形態に係る送風装置の一例である除湿機１を示す。図４は除湿機１の概念的な断面図である。図５は除湿機１のシステム図である。
【００２０】
（全体構成）
図１及び図２を参照すると、除湿機１は、円柱形状の外観を有し、本体１００と、本体１００の上部に配置されたヘッド部６００と、本体１００の下部に配置された貯水部７００とを備える。除湿機１は、本体１００の吸込口１１２から吸引した外部（例えば除湿対象の室内）の空気（処理空気）を、本体１００内で除湿ロータ２００による水分吸着により除湿（処理）する。除湿された処理空気は、ヘッド部６００の吹出口６４２から外部へ吐出される。除湿ロータ２００に吸着された水分は、本体１００内の閉経路を循環する空気（再生空気）により回収され、貯水部７００の貯水タンク７２０内に貯留される。
【００２１】
ヘッド部６００は、図１において本体１００の軸線Ｌを中心として回転可能な送風部６４０を備える。送風部６４０は、図１に示す基準位置を起点として、規制部材６８０回りを略±１８０度の範囲で、図１において周方向Ａに往復（首振り）回転できる。送風部６４０の吹出口６４２には可動式のルーバー６６０が配置されている。ルーバー６６０は、図１において上下方向Ｂの設定範囲で揺動できる。
【００２２】
図４及び図５に示すように、除湿機１は、破線で示す処理空気が流れる経路（処理空気経路）２と、実線で示す再生空気が流れる経路（再生空気経路）３とを備える。除湿ロータ２００は、処理空気経路２及び再生空気経路３に跨がって配置されている。除湿機１は、除湿ロータ２００の一面側（吸込口１１２側）に、再生空気及び除湿ロータ２００を加熱するヒータ（加熱手段）２５０を備える。また、除湿機１は、除湿ロータ２００の一面側に配置された主熱交換器（第１熱交換器）３００と、除湿ロータ２００の他面側に配置された副熱交換器（第２熱交換器）３５０とを備える。さらに、除湿機１は、処理空気を吸引及び吐出するための処理空気ファン（第１送風手段）４００と、再生空気を循環させるための再生空気ファン（第２送風手段）４５０とを備える。
【００２３】
図１から図３Ｂに示すように、本体１００は、除湿ロータ２００、ヒータ２５０、主熱交換器３００、副熱交換器３５０、処理空気ファン４００、及び再生空気ファン４５０を含む部品を配置するベース１０１を備える。ベース１０１は、下端に位置する平面視円形状の基部１０２と、基部１０２から矩形状をなすように立設した立壁部１０３とを備える。ベース１０１の外周部は、半円筒状である樹脂製の外装パネル１１０Ａ，１１０Ｂにより覆われている。外装パネル１１０Ａ，１１０Ｂは、内面側に金属製の補強パネル１１１Ａ，１１１Ｂを備える。一方の外装パネル１１０Ａには、室内の空気を取り入れるための吸込口１１２が設けられている。吸込口１１２は、上下方向に延びる多数条のスリットからなる。なお、吸込口１１２の内面側には、図示しないフィルタが外装パネル１１０Ａに沿って着脱可能に配置されている。
【００２４】
（処理空気経路）
図４及び図５に示すように、処理空気経路２は、吸込口１１２から吹出口６４２までを接続している。処理空気経路２には、吸込口１１２から吹出口６４２に向けて処理空気が流れる方向に沿って順に、主熱交換器３００、除湿ロータ２００、副熱交換器３５０、及び処理空気ファン４００が配置されている。
【００２５】
図５に最も明瞭に示すように、処理空気経路２は、第１から第５の部分２ａ〜２ｅを備える。第１部分２ａは、吸込口１１２から主熱交換器３００までを接続している。図４に示すように、第１部分２ａは、吸込口１１２と主熱交換器３００との間に形成された空間からなる。第２部分２ｂは、主熱交換器３００から除湿ロータ２００までを接続している。図４に示すように、第２部分２ｂは、主熱交換器３００と除湿ロータ２００との間に形成された空間からなる。第３部分２ｃは、除湿ロータ２００から副熱交換器３５０までを接続している。図４に示すように、第３部分２ｃは、除湿ロータ２００と副熱交換器３５０との間に形成された空間からなる。第４部分２ｄは、副熱交換器３５０から処理空気ファン４００までを接続している。図４に示すように、第４部分２ｄは、副熱交換器３５０と処理空気ファン４００の吸込口１１２との間に形成された空間からなる。第５部分２ｅは、処理空気ファン４００の吐出口から吹出口６４２までを接続している。図４に示すように、第５部分２ｅは、処理空気ファン４００のファンケース４１０の送出部４１１、及びヘッド部６００の送風案内部６４１を備える。
【００２６】
処理空気ファン４００が駆動されると、吸込口１１２から処理空気が吸い込まれる。処理空気は、主熱交換器３００で昇温された後、除湿ロータ２００を通過する際に除湿される。ついで、副熱交換器３５０で更に昇温された後、処理空気ファン４００のファンケース４１０内に流入する。その後、ファンケース４１０の送出部４１１から上向きに送出され、ヘッド部６００の吹出口６４２から室内へ吐出される。
【００２７】
（再生空気経路）
図４及び図５に示すように、再生空気経路３には、ヒータ２５０を起点として再生空気が流れる方向に従って順に、除湿ロータ２００、副熱交換器３５０、主熱交換器３００、及び再生空気ファン４５０が配置されている。
【００２８】
図５に最も明瞭に示すように、再生空気経路３は、第１から第５の部分３ａ〜３ｅを備える。第１部分３ａは、再生空気ファン４５０の吐出口からヒータ２５０までを接続している。図３Ａ，Ｂ及び図４に示すように、第１部分３ａは、再生空気ファン４５０のファンケース４６０とヒータ２５０のヒータケース２６０の間のダクト部４６２を備える。第２部分３ｂは、ヒータ２５０から除湿ロータ２００までを接続している。図４に示すように、第２部分３ｂは、ヒータケース２６０中のヒータ２５０と除湿ロータ２００との間に形成された空間（隙間）からなる。第３部分３ｃは、除湿ロータ２００から副熱交換器３５０までを接続している。図４に示すように、第３部分３ｃは、副熱交換器３５０の上部ヘッダ３７０の内部空間からなる。第４部分３ｄは、副熱交換器３５０から主熱交換器３００までを接続している。図３Ａ，Ｂ及び図４に示すように、第４部分３ｄは、副熱交換器３５０の下部ヘッダ３８０、ダクト部材５００、及び主熱交換器３００の上部ヘッダ３２０を備える。第５部分３ｅは、主熱交換器３００から再生空気ファン４５０までを接続している。図３Ｂ及び図４に示すように、第５部分３ｅは、主熱交換器３００の下部ヘッダ３３０と再生空気ファン４５０のファンケース４６０の間のダクト部４６１を備える。
【００２９】
再生空気ファン４５０が駆動されると、再生空気ファン４５０から送出された再生空気は、ヒータ２５０で加熱される。ついで、再生空気は、除湿ロータ２００を通過する際に、除湿ロータ２００が吸着した水分を回収（吸着）した後、副熱交換器３５０で冷却される。ついで、ダクト部材５００を通って主熱交換器３００に流入し、再び冷却される。その後、再生空気は、再生空気ファン４５０に戻り、再びヒータ２５０へ送出される。なお、熱交換器３００，３５０で再生空気が冷却されることにより凝縮した水は、貯水タンク７２０に貯留される。
【００３０】
（ヘッド部の詳細）
図４及び図６Ａ，Ｂに示すように、ヘッド部６００は、本体１００の上端に固定されたヘッドベース（固定基部）６１０と、ヘッドベース６１０に回転可能に配置された送風部（回転部）６４０と、送風部６４０をヘッドベース６１０との間に挟み込んで配置する規制部材（閉塞部材）６８０とを備える。
【００３１】
図６Ａから図７に示すように、ヘッドベース６１０は、金属製のベース本体６２０と、樹脂製のベースカバー６３０とを備え、これらがネジ止めにより固定されている。ベース本体６２０は、軸線Ｌ側に位置する実質的な中央に本体１００の送出部４１１に連通する連通口６２１を備える。図６Ｂに最も明瞭に示すように、連通口６２１の下部には、送出部４１１の外側に嵌合する嵌合部６２２が設けられている。ベースカバー６３０は、連通口６２１に連通する連通口６３１を備える。ベースカバー６３０には、連通口６３１の内周部（近傍）から上向きに突出するボス（固定部）６３２が設けられている。ボス６３２は、軸線Ｌに沿って上向きに延びるとともに、軸線Ｌを中心として周方向に所定間隔をあけて４個設けられている。
【００３２】
図６Ｂに最も明瞭に示すように、ヘッドベース６１０の下面側には、送風部６４０を回転させるステッピングモータ（送風部駆動手段）６２３が配置されている。ステッピングモータ６２３の出力軸には第１ギア６２４が配置されている。ヘッドベース６１０には、第１ギア６２４の径方向外側に位置するように挿通部が設けられ、この挿通部に第１ギア６２４に噛合された第２ギア６２５が回転可能に配置されている。第２ギア６２５の回転軸には、挿通部を通してヘッドベース６１０の上面側に位置するように第３ギア６２６が配置されている。
【００３３】
図６Ａから図７に示すように、送風部６４０は、ヘッドベース６１０上に載置された送風部本体６５０と、送風部本体６５０を覆う外装カバー６７０とを備え、これらがネジ止めにより固定されている。図６Ｂに最も明瞭に示すように、送風部本体６５０は、平面視円環状である。送風部本体６５０の底面側には、ヘッドベース６１０上で第３ギア６２６に噛み合うギア部６５３が一体に設けられている。送風部６４０は、ステッピングモータ６２３の駆動により、ギア６２４〜６２６を介してギア部６５３が回転され、図１に示す本体１００の軸線Ｌを中心として回転される。
【００３４】
図６Ａから図７に示すように、送風部本体６５０は、ボス６３２を取り囲む流入部６５１と、流入部６５１の両端から径方向外向きに延びる吹出部６５２とを備える。これら流入部６５１及び吹出部６５２により、平面視Ｕ字形状の送風案内部６４１が形成されている。流入部６５１は、上端に開口６５１ａを有する半円筒状であり、下端には連通口６２１，６３１に連通する連通口６５４が設けられている。連通口６５４は、本体１００の軸線Ｌを中心とした同心円形状であり、内部にボス６３２が上向きに突出するように挿通される。送風部６４０の外側面に位置する吹出部６５２の外側端は吹出口６４２であり、この吹出口６４２に可動式のルーバー６６０が配置されている。ルーバー６６０は、４枚の羽根板６６１Ａ〜６６１Ｄを備える。図６Ａに最も明瞭に示すように、羽根板６６１Ａ〜６６１Ｄは、送風部本体６５０に配置したステッピングモータ（ルーバー駆動手段）６６５の駆動により、同期して上下方向Ｂに回動する。
【００３５】
外装カバー６７０は、円筒状の外周壁６７０ａと、外周壁６７０ａの上面を覆う上壁６７０ｂとを備える。外装カバー６７０の上壁６７０ｂには、連通口６５４の上部に位置する同心円形状の第１開口部６７１が設けられている。また、外装カバー６７０には、ルーバー６６０を含む吹出口６４２を露出させる第２開口部６７２が、外周壁６７０ａから上壁６７０ｂにかけて形成されている。
【００３６】
図６Ａから図７に示すように、規制部材６８０は、ヘッドベース６１０に送風部６４０を配置し、送風部６４０の第１開口部６７１内に位置するボス６３２にネジ止めすることにより固定されている。規制部材６８０の配置により、流入部６５１の開口６５１ａが塞がれて送風案内部６４１が画定されている。また、規制部材６８０の配置により、外装カバー６７０の第１開口部６７１が塞がれ、ヘッドベース６１０から送風部６４０が脱落することを防止している。規制部材６８０は、上端開口の収容ケース６８１と、収容ケース６８１を閉塞するカバー６８５とを備える。収容ケース６８１は、円盤状の底壁６８２ａから突出する半円筒状の外周壁６８２ｂを備える。底壁６８２ａには、ボス６３２に対応するネジ止め部６８３が設けられている。図７に示すように、収容ケース６８１の内部には、操作基板６９０が配置されている。カバー６８５には、操作基板６９０のスイッチに対応する入力部が形成されている。
【００３７】
（送風部駆動手段の原点補正）
送風部６４０を回転させるステッピングモータ６２３は、出力軸を正転方向及び逆転方向に回転可能な駆動手段である。除湿機１は、位置センサ（例えばマイクロスイッチ）のような別部品を用いることなく、送風部６４０を回転させるステッピングモータ６２３の基準位置ＰＲ（図１０Ａ参照）を補正できるようにしている。
【００３８】
詳しくは、ヘッド部６００は、ヘッドベース６１０に対する送風部６４０の回転を補正位置（予め設定した回転角度位置）ＰＡ１で規制（停止）する規制部６０１を備える。また、除湿機１は、ステッピングモータ６２３による送風部６４０の回転角度の原点を補正する原点補正処理（第２の処理）を実行するマイコン（駆動手段制御部）８００を備える。原点補正処理は、除湿ロータ２００、ヒータ２５０、及びファン４００，４５０の駆動による各運転モード（第１の処理）の運転開始時と、実行中の予め設定した時間（時期）毎に行われる。
【００３９】
図８Ａから図９に示すように、規制部６０１は、送風部本体６５０の流入部６５１に形成した第１及び第２突出部（当接部）６５５Ａ，６５５Ｂと、規制部材６８０の収容ケース６８１に形成した第１及び第２受部（当接受部）６８４Ａ，６８４Ｂを備える。
【００４０】
突出部６５５Ａ，６５５Ｂは、流入部６５１の径方向に対向する位置から内向きに突出するように設けられている。図８Ａを参照すると、第１突出部６５５Ａは流入部６５１の上縁側に設けられている。図８Ｂを参照すると、第２突出部６５５Ｂは、第１突出部６５５Ａよりも流入部６５１の下縁側に設けられている。各突出部６５５Ａ，６５５Ｂは、軸線Ｌに沿って延びる枠板６５６ａと、枠板６５６ａの上下端に連続した一対の補強枠板６５６ｂ，６５６ｂとを備える。補強枠板６５６ｂ，６５６ｂは、枠板６５６ａから水平方向に突出するとともに、吹出口６４２に対して逆向きに突出するように設けられている。
【００４１】
受部６８４Ａ，６８４Ｂは、収容ケース６８１の外周壁６８２ｂの平面視で径方向に対向する位置から外向きに突出するように設けられている。図８Ａを参照すると、第１受部６８４Ａは収容ケース６８１の上端に設けられている。図８Ｂを参照すると、第２受部６８４Ｂは収容ケース６８１の下端に設けられている。図９に最も明瞭に示すように、第１受部６８４Ａは、第２突出部６５５Ｂの上方に位置するとともに、第１突出部６５５Ａと同一高さに位置する。第２受部６８４Ｂは、第１突出部６５５Ａの下方に位置するとともに、第２突出部６５５Ｂと同一高さに位置する。これにより、送風部６４０が回転すると、第１受部６８４Ａには、第２突出部６５５Ｂが干渉することなく、第１突出部６５５Ａだけが当接する。第２受部６８４Ｂには、第１突出部６５５Ａが干渉することなく、第２突出部６５５Ｂだけが当接する。また、各受部６８４Ａ，６８４Ｂは、一対の補強枠板６５６ｂ，６５６ｂ間に挿入可能な全高で形成されている。これにより、各受部６８４Ａ，６８４Ｂには、各突出部６５５Ａ，６５５Ｂの枠板６５６ａだけが当接する。これにより、送風部６４０が回転可能な角度範囲を広くしている。
【００４２】
送風部６４０は、図１０Ａ，Ｂに示すように、規制部６０１により回転可能な第１角度範囲が設定されている。詳しくは、図１１Ａ，Ｂに示すように、突出部６５５Ａ，６５５Ｂを受部６８４Ａ，６８４Ｂの一端側に当接させた回転角度位置ＰＡ１から、図１２Ａ，Ｂに示すように、突出部６５５Ａ，６５５Ｂを受部６８４Ａ，６８４Ｂの他端側に当接させた回転角度位置ＰＡ２までが、送風部６４０が回転可能な第１角度範囲である。図１０Ａ，Ｂに示すように、送風部６４０を回転させる際の基準位置ＰＲは、第１角度範囲の中間点に設定され、左右両方向にバランスよく空気を吐出できるようにしている。
【００４３】
図１３に示すように、マイコン８００は、本体１００に配置されており、ベース１０１に配置された除湿ロータ２００、ヒータ２５０、及びファン４００，４５０を制御するとともに、ヘッド部６００に配置された送風部６４０、及びルーバー６６０を制御する。マイコン８００には、制御対象である除湿ロータ２００を駆動する電動モータ２０１、ヒータ２５０、一対のファン４００，４５０を駆動する１個の両軸モータ５５０、送風部６４０を駆動するステッピングモータ６２３、及びルーバー６６０を駆動するステッピングモータ６６５が接続されている。
【００４４】
また、マイコン８００には、湿度センサ８０１、フォトインタラプタ８０２、第１温度センサ８０３、第２温度センサ８０４、及び磁気センサ８０５が接続されている。湿度センサ８０１は、吸込口１１２から吸い込んだ処理空気の湿度を検出する湿度検出手段であり、図４に示す吸込口１１２と主熱交換器３００との間に配置されている。フォトインタラプタ８０２は、電動モータ２０１の故障（除湿ロータ２００のロック）を検出するロータロック検出手段であり、図４に示す除湿ロータ２００の周囲に配置されている。第１温度センサ８０３は、除湿ロータ２００の過加熱を検出するロータ温度検出手段であり、図４に示す副熱交換器３５０の上部ヘッダ３７０内に検出部が配置されている。第２温度センサ８０４は、ヒータ２５０の過加熱を検出するヒータ温度検出手段であり、図４に示すヒータケース２６０内に検出部が配置されている。磁気センサ８０５は、貯水タンク７２０の満水を検出する水位検出手段であり、貯水部７００に配置され、図４に示す貯水タンク７２０内のフロート７３０に配置した磁石の磁力を検出する。
【００４５】
また、マイコン８００には、電源の入／切、及び実行するモードの選択及び設定の変更を行う操作パネル８１０が接続されている。操作パネル８１０はヘッド部６００のカバー６８５に配置されている。操作パネル８１０の中央には電源スイッチ（第１入力部）８１１が配置されている。電源スイッチ８１１の周囲には、動作させるモードを選択する選択スイッチ（第２入力部）８１２Ａ〜８１２Ｃが配置されている。選択スイッチ８１２Ａは、操作の度に、ヒータ２５０を動作させた乾燥モード（手動除湿処理）と、ヒータ２５０の動作を停止した送風モードとが切り換えられる。選択スイッチ８１２Ｂは、ヒータ２５０の出力が自動調整されるエコモード（自動除湿処理）に切り換える。選択スイッチ８１２Ｃは、処理空気ファン４００の風量を抑えた夜干しモード（自動除湿処理）に切り換える。
【００４６】
選択スイッチ８１２Ａ〜８１２Ｃの周囲には、動作させる設定を変更する設定スイッチ（第３入力部）８１３Ａ〜８１３Ｄが配置されている。設定スイッチ８１３Ａは、処理空気ファン４００の風量を設定変更する。設定スイッチ８１３Ｂは、動作時間（タイマー）を設定変更する。これらの設定スイッチ８１３Ａ，８１３Ｂは、乾燥モード及び送風モードだけで使用可能である。設定スイッチ８１３Ｃは、送風部６４０の回転角度（送風範囲）を設定変更する。設定スイッチ８１３Ｄは、ルーバー６６０の回動範囲を設定変更する。これらの設定スイッチ８１３Ｃ，８１３Ｄは、全てのモードで使用可能である。
【００４７】
図１３の表示部８１４Ａ〜８１４Ｄに示すように、送風部６４０は、４種の回転角度範囲と、回転させない停止とを選択できる。表示部８１４Ａは、図１０Ａ，Ｂに示す基準位置ＰＲを起点として周方向に±１７５．０度（合計で３５０度）の回転角度とした全角モードである。表示部８１４Ｂは、基準位置ＰＲを起点として周方向に±９０．０度（合計で１８０度）の回転角度とした広角モードである。表示部８１４Ｃは、基準位置ＰＲを起点として周方向に±４５．０度（合計で９０度）の回転角度とした中角モードである。表示部８１４Ｄは、基準位置ＰＲを起点として周方向に±２２．５度（合計で４５度）とした狭角モードである。設定スイッチ８１３Ｃの操作により、全ての表示部８１４Ａ〜８１４Ｄが点灯しない無選択とすることにより、送風部６４０の回転を停止し、特定の方向に空気を吐出させることができる。全角モードは、規制部６０１によって規制された第１角度範囲と同一の第２角度範囲である。全角モードでは、吹出口６４２の周方向の横幅を考慮すると、実質的に除湿機１の全周囲（３６０度）へ空気を吹き出すことができる。広角モード、中角モード、及び狭角モードは、第１角度範囲より狭い第２角度範囲である。即ち、除湿機１を動作させる各モード（第１の処理）では、送風部６４０が第１角度範囲より狭い第２角度範囲で連続的に回転される。
【００４８】
駆動手段制御部としてのマイコン８００は、送風部６４０の回転角度をステッピングモータ６２３への通電時間Ｔにより制御している。規制部６０１で規制された第１角度範囲で送風部６４０を回転させる場合、ステッピングモータ６２３を駆動させる必要がある時間はＴ１である。そのため、図１２Ａ，Ｂに示すように、突出部６５５Ａ，６５５Ｂを受部６８４Ａ，６８４Ｂに当接させた状態から、ステッピングモータ６２３を設定角度に相当するＴ１／２時間駆動させた中間位置を、送風部６４０を周方向Ａに往復回転させる基準位置ＰＲとする。マイコン８００は、ステッピングモータ６２３に対する通電（駆動）時間Ｔ１〜Ｔ４により、送風部６４０の回転角度を制御する。なお、原点補正処理の実行直後は、基準位置ＰＲを起点として動作が再開されるため、ステッピングモータ６２３に対する通電時間は、通常の通電時間Ｔ１〜Ｔ４の半分（Ｔ１／２〜Ｔ４／２）とする。
【００４９】
また、マイコン８００による原点補正処理は、設定された角度の回転に必要な駆動時間Ｔ１〜Ｔ４を越えてステッピングモータ６２３に通電する。詳しくは、設定された回転角度に基づいた現状の回転位置から、突出部６５５Ａ，６５５Ｂが受部６８４Ａ，６８４Ｂに当接し、回転部６４０の回転が規制されるまでの予定角度を越えて回転するように、ステッピングモータ６２３に通電する。これにより、突出部６５５Ａ，６５５Ｂを受部６８４Ａ，６８４Ｂに当接させ、ステッピングモータ６２３を更に動作（空転）させる。そして、この回転規制時の回転角度位置（通電を停止した停止位置）を、回転部６４０の回転角度の原点とする補正を行う。
【００５０】
例えば、図１４に示すように、マイコン８００は、回転角度範囲が全角モードに設定されている場合、正転方向及び逆転方向の駆動時間Ｔ１を４０秒とする。回転角度範囲が広角モードに設定されている場合、正転方向及び逆転方向の駆動時間Ｔ２を２０秒とする。回転角度範囲が中角モードに設定されている場合、正転方向及び逆転方向の駆動時間Ｔ３を１０秒とする。回転角度範囲が狭角モードに設定されている場合、正転方向及び逆転方向の駆動時間Ｔ４を６秒とする。なお、各モードの駆動開始時は、各駆動時間Ｔ１〜Ｔ４の半分の時間とする。
【００５１】
原点補正処理を実行する設定時間（補正タイミング）Ｔｔは、各運転モードの運転開始時を含む３０分毎とする。これにより、運転停止状態及び運転中に加わった外的要因により、基準位置ＰＲに誤差が生じた状態で動作が開始されることを防止している。また、ステッピングモータ６２３に通電する補正用駆動時間Ｔｒ１は、第１角度範囲の駆動時間Ｔより長い４１秒とし、ステッピングモータ６２３を正転方向に回転させる。これにより、いずれのモードに設定されていても、また、外的要因による送風部６４０の回転角度位置の誤差がどの様な状態であっても、確実に突出部６５５Ａ，６５５Ｂを受部６８４Ａ，６８４Ｂに当接させ、原点（基準位置ＰＲ）を１回で補正できる。さらに、補正位置ＰＡ１からの基準復帰駆動時間Ｔｒ２は、第１角度範囲を回転させる際に要する駆動時間Ｔ１の半分のＴ１／２とし、逆転方向に回転させる。これにより、第１受部６８４Ａに対して第１突出部６５５Ａが径方向に対向し、第２受部６８４Ｂに対して第２突出部６５５Ｂが径方向に対向する基準位置ＰＲを起点として、送風部６４０を正転方向及び逆転方向に制御できる。
【００５２】
次に、マイコン８００による送風部６４０の制御について説明する。
【００５３】
操作パネル８１０の操作により所定のモードが実行されると、マイコン８００は、設定された運転モードの処理と並行して図１５に示す送風部制御を実行する。この送風部制御は、各運転モードが終了するまで継続され、各運転モードの終了と同時に終了する。
【００５４】
図１５に示すように、マイコン８００は、まず、ステップＳ１で、ステッピングモータ６２３を補正用駆動時間Ｔｒ１正転方向に回転させる原点補正処理を実行する。ついで、ステップＳ２で、ステッピングモータ６２３を基準復帰駆動時間Ｔｒ２逆転方向に回転させる基準位置復帰処理を実行する。
【００５５】
ついで、ステップＳ３で、原点補正タイマＴｔをリセットしてスタートした後、ステップＳ４で、回転部６４０の回転角度の設定を読み込む。その後、ステップＳ５で、設定された回転角度に応じた駆動時間Ｔ１〜Ｔ４、基準位置ＰＲを起点としてステッピングモータ６２３を正転方向及び逆転方向に連続的に首振り回転させる通電処理を実行する。
【００５６】
ステップＳ５の通電処理は、ステップＳ６の原点補正タイマＴｔが経過するまで継続される。即ち、ステップＳ６で原点補正タイマＴｔが経過していない場合にはステップＳ４に戻り、送風部６４０の回転角度の設定変更の有無を判断する。また、ステップＳ６で原点補正タイマＴｔが経過した場合にはステップＳ１に戻り、ステッピングモータ６２３の原点補正処理を実行する。
【００５７】
このように、本発明の除湿機１は、各運転モード（第１の処理）の実行中にステッピングモータ６２３の原点を所定時間毎に補正するため、外的要因により送風部６４０の回転角度位置に誤差が生じた場合でも、自動的に送風部６４０の回転角度範囲を一定に維持できる。また、送風部６４０を規制部６０１で停止させ、ステッピングモータ６２３を空転させて停止した位置を原点とするため、位置センサのような別部品を使用することなく、位置認識及び位置復帰を行うことができる。よって、制御プログラムが複雑になることを防止できるとともに、コストダウンを図ることができる。
【００５８】
また、原点補正処理の実行後に、逆向きに所定時間（１７５度）回転させた基準位置ＰＲを起点として、送風部６４０を正転方向及び逆転方向に制御するため、各運転モードで送風部６４０が回転される最大角度範囲（第１角度範囲）の中心を起点とし、両方向にバランスよく空気を吐出できる。また、送風部６４０を補正位置ＰＡ１で停止させる規制部６０１は、流入部６５１に設けた突出部６５５Ａ，６５５Ｂと、規制部材６８０に設けた受部６８４Ａ，６８４Ｂとからなるため、簡素な構成で確実に送風部６４０の回転を規制し、原点を補正できる。
【００５９】
（第２実施形態）
図１６及び図１７は、第２実施形態の除湿機１の送風部駆動手段であるマイコン８００による送風部６４０の制御を示す。この第２実施形態では、基準位置ＰＲを起点として送風部６４０を正転方向及び逆転方向に回転させることが可能な第１角度範囲を２以上に区画（本実施形態では６区画）する。そして、原点補正処理の実行時には、各運転モードでの直前の送風部６４０の回転方向と同一方向に送風部６４０を回転させる。また、各運転モードで設定された第２角度範囲に基づいて、その予定回転位置から、近い側の規制部６０１（補正位置ＰＡ１，ＰＡ２）までの予定角度を越えて送風部６４０を回転させる。ここで、予定回転位置とは、外的負荷が加わることなく、原点に誤差が生じていない状態で、設定された第２角度範囲で回転された場合に、送風部６４０の回転が停止（反転）する位置である。また、近い側の規制部６０１までとは、予定回転位置から規制部６０１までの角度が狭い側である。
【００６０】
詳しくは、図１６に示すように、基準位置ＰＲから第１の回転角度位置ＰＡ１までの角度範囲を、周方向に等間隔で第１から第３の領域Ｒ１〜Ｒ３に区画している。また、基準位置ＰＲから第２の回転角度位置ＰＡ２までの角度範囲を、周方向に等間隔で第４から第６の領域Ｒ４〜Ｒ６に区画している。
【００６１】
通常の運転モードの実行時にマイコン８００は、図１４に示す第１実施形態と同様に、回転角度範囲が全角モードに設定されている場合、ステッピングモータ６２３の駆動時間Ｔ１を４０秒とし、正転方向及び逆転方向に回転させる。回転角度範囲が広角モードに設定されている場合、ステッピングモータ６２３の駆動時間Ｔ２を２０秒とし、正転方向及び逆転方向に回転させる。回転角度範囲が中角モードに設定されている場合、ステッピングモータ６２３の駆動時間Ｔ３を１０秒とし、正転方向及び逆転方向に回転させる。回転角度範囲が狭角モードに設定されている場合、ステッピングモータ６２３の駆動時間Ｔ４を６秒とし、正転方向及び逆転方向に回転させる。
【００６２】
原点に誤差が生じていないことを前提とし、通常の運転モードで送風部６４０の回転角度範囲が全角モードに設定されている場合、送風部６４０の吹出口６４２の中心は、正転方向に回転されていた場合には領域Ｒ３内で停止する。即ち、領域Ｒ３内に第３の予定回転位置が設定されている。一方、逆転方向に回転されていた場合には、送風部６４０の吹出口６４２の中心が領域Ｒ６内で停止する。即ち、領域Ｒ６内に第６の予定回転位置が設定されている。回転角度範囲が広角モードに設定されている場合、送風部６４０の吹出口６４２の中心は、正転方向に回転されていた場合には領域Ｒ２内で停止する。即ち、領域Ｒ２内に第２の予定回転位置が設定されている。一方、逆転方向に回転されていた場合には、送風部６４０の吹出口６４２の中心が領域Ｒ５内で停止する。即ち、領域Ｒ５内に第５の予定回転位置が設定されている。回転角度範囲が中角モードに設定されている場合、送風部６４０の吹出口６４２の中心は、正転方向に回転されていた場合には領域Ｒ１内で停止する。即ち、領域Ｒ１内に第１の予定回転位置が設定されている。一方、逆転方向に回転されていた場合には、送風部６４０の吹出口６４２の中心が領域Ｒ４内で停止する。即ち、領域Ｒ４内に第４の予定回転位置が設定されている。回転角度範囲が狭角モードに設定されている場合、送風部６４０の吹出口６４２の中心は、正転方向に回転されていた場合には領域Ｒ１内で停止する。即ち、領域Ｒ１内に第１’の予定回転位置が設定されている。一方、逆転方向に回転されていた場合には、送風部６４０の吹出口６４２の中心が領域Ｒ４内で停止する。即ち、領域Ｒ４内に第４’の予定回転位置が設定されている。
【００６３】
図１７に示すように、原点補正処理では、直前に送風部６４０が正転方向に回転され、予定回転位置が第１領域Ｒ１に位置する場合、正転方向に回転させ、補正用駆動時間Ｔｒ１を２１秒とする。直前に送風部６４０が正転方向に回転され、予定回転位置が第２領域Ｒ２に位置する場合、正転方向に回転させ、補正用駆動時間Ｔｒ１を１４秒とする。直前に送風部６４０が正転方向に回転され、予定回転位置が第３領域Ｒ３に位置する場合、正転方向に回転させ、補正用駆動時間Ｔｒ１を７秒とする。直前に送風部６４０が逆転方向に回転され、予定回転位置が第４領域Ｒ４に位置する場合、逆転方向に回転させ、補正用駆動時間Ｔｒ１を２１秒とする。直前に送風部６４０が逆転方向に回転され、予定回転位置が第５領域Ｒ５に位置する場合、逆転方向に回転させ、補正用駆動時間Ｔｒ１を１４秒とする。直前に送風部６４０が逆転方向に回転され、予定回転位置が第６領域Ｒ６に位置する場合、逆転方向に回転させ、補正用駆動時間Ｔｒ１を７秒とする。
【００６４】
このようにした第２実施形態の除湿機１の送風部６４０は、第１実施形態と同様に、各運転モードの実行中にステッピングモータ６２３の原点を所定時間毎に補正するため、外的要因により送風部６４０の回転角度位置に誤差が生じた場合でも、自動的に送風部６４０の回転角度範囲を一定に維持できる。また、第２実施形態の原点補正処理では、直前の送風部６４０の回転方向と同一方向に回転させるため、補正用駆動時間Ｔｒ１を大幅に短縮できる。よって、原点補正処理の実行により、送風部６４０が補正位置ＰＡ１，ＰＡ２で停止した状態を短くすることができる。その結果、ユーザに違和感を与えることを軽減できる。なお、外的要因による送風部６４０の回転角度位置の誤差が領域Ｒ１〜Ｒ６の角度範囲を超える場合、１回の原点補正処理では原点復帰できないが、所定時間毎に原点補正処理が実行されるため、確実に原点を補正できる。
【００６５】
なお、本発明の送風装置は、前記実施形態の構成に限定されず、種々の変更が可能である。
【００６６】
例えば、前記実施形態では、通常の運転モードで送風部６４０を回転させる角度範囲は、正転方向に回転させて規制部６０１に当接する位置から、逆転方向に回転させて規制部６０１に当接する位置までの第１の角度範囲としたが、この第１の角度範囲以下であればよい。即ち、送風部６４０を正転方向に回転させて規制部６０１に当接する位置から、送風部６４０を逆転方向に回転させて規制部６０１に当接しない位置までであってもよい。
【００６７】
また、前記実施形態では、除湿機１の運転開始時を起点として原点補正処理を所定時間毎に実行したが、実行する設定時間は、ユーザの操作により設定できるようにしてもよいうえ、使用環境に応じて予め設定した計算式（プログラム）で設定されるようにしてもよい。また、現在時刻を設定可能として設定時間（時刻）毎に実行するようにしてもよい。また、設定回数中の１回等、定期的に実行するようにしてもよい。即ち、原点補正処理を実行する設定時期は、同じ周期に限られない。また、例えば出力軸の回転数等を検出できる機能を備えたモータ（駆動手段）を用いる等によって、送風部６４０の回転角度の制御を駆動手段を駆動させる通電時間以外でも実現できる。
【００６８】
また、第１実施形態の原点補正処理では、送風部６４０を正転方向に回転させて回転角度位置ＰＡ１で原点を補正するようにしたが、逆転方向に回転させて回転角度位置ＰＡ２で原点を補正してもよいうえ、正転方向及び逆転方向の両方で原点を補正してもよい。
【００６９】
また、第２実施形態では、回転角度範囲を第１領域Ｒ１から第６領域Ｒ６に区画して、回転方向及び補正用駆動時間を設定したが、領域を区画しない構成でも実現できる。例えば、第２回転角度範囲が４５度に設定されている場合、その回転角度に基づいた予定回転位置は、基準位置ＰＲから正転方向及び逆転方向のそれぞれ２２．５度の位置になる。そして、原点補正処理の実行時に、直前の送風部６４０の回転方向が正転方向の場合、予定回転位置（基準位置ＰＲから正転方向に２２．５度の位置）から近い側の規制部６０１までの予定角度（６５度）を越えて送風部６４０を正転方向に回転させればよい。
【００７０】
また、規制部６０１は、送風部６４０に形成した突出部（当接部）６５５Ａ，６５５Ｂと、規制部材６８０に形成した受部（当接受部）６８４Ａ，６８４Ｂの二対で構成したが、いずれか一方の一対で構成してもよいうえ、ヘッドベース６１０に対する送風部６４０の回転を物理的に停止できる構成であれば、希望に応じて変更が可能である。
【００７１】
本実施形態の除湿機１は、例えば室内を乾燥させることを目的とした室内空気を除湿対象とする他、衣類の乾燥を目的とした衣類の水分を除湿対象とするものや、これらの両方の目的を達成するものが含まれる。また、本発明の特徴である送風部６４０の原点補正処理は、除湿機１に限らず、空気を取り込んで処理を加えて吐出する加湿器、空気調和機、サーキュレータ、冷風機、温風機に適用しても同様の作用及び効果を得ることができる。さらに、空気を取り込んで加圧以外の処理を加えることなく吐出する扇風機に適用しても同様の作用及び効果を得ることができる。
【符号の説明】
【００７２】
１…除湿機（送風装置）
２…処理空気経路
２ａ〜２ｅ…処理空気経路の部分
３…再生空気経路
３ａ〜３ｅ…再生空気経路の部分
１００…本体
１０１…ベース
１０２…基部
１０３…立壁部
１１０Ａ，１１０Ｂ…外装パネル
１１１Ａ，１１１Ｂ…補強パネル
１１２…吸込口
２００…除湿ロータ
２０１…電動モータ
２５０…ヒータ
２６０…ヒータケース
３００…主熱交換器
３２０…上部ヘッダ
３３０…下部ヘッダ
３５０…副熱交換器
３７０…上部ヘッダ
３８０…下部ヘッダ
４００…処理空気ファン（送風手段）
４１０…ファンケース
４１１…送出部
４５０…再生空気ファン
４６０…ファンケース
４６１…第１ダクト部
４６２…第２ダクト部
５００…ダクト部材
５５０…両軸モータ
６００…ヘッド部
６０１…規制部
６１０…ヘッドベース（固定基部）
６２０…ベース本体
６２１…連通口
６２２…嵌合部
６２３…ステッピングモータ（駆動手段）
６２４…第１ギア
６２５…第２ギア
６２６…第３ギア
６３０…ベースカバー
６３１…連通口
６３２…ボス
６４０…送風部（回転部）
６４１…送風案内部
６４２…吹出口
６５０…送風部本体
６５１…流入部
６５１ａ…開口
６５２…吹出部
６５３…ギア部
６５４…連通口
６５５Ａ，６５５Ｂ…突出部（当接部）
６５６ａ，６５６ｂ…枠板
６６０…ルーバー
６６１Ａ〜６６１Ｄ…羽根板
６６５…ステッピングモータ
６７０…外装カバー
６７０ａ…外周壁
６７０ｂ…上壁
６７１…第１開口部
６７２…第２開口部
６８０…規制部材（閉塞部材）
６８１…収容ケース
６８２ａ…底壁
６８２ｂ…外周壁
６８３…ネジ止め部
６８４Ａ，６８４Ｂ…受部（当接受部）
６８５…カバー
６９０…操作基板
７００…貯水部
７２０…貯水タンク
７３０…フロート
８００…マイコン（駆動手段制御部）
８０１…湿度センサ
８０２…フォトインタラプタ
８０３…第１温度センサ
８０４…第２温度センサ
８０５…水位センサ
８１０…操作パネル
８１１…電源スイッチ
８１２Ａ〜８１２Ｃ…選択スイッチ
８１３Ａ〜８１３Ｄ…設定スイッチ
８１４Ａ〜８１４Ｄ…表示部
ＰＲ…基準位置
ＰＡ１…第１の補正位置（予め設定した回転角度位置）
ＰＡ２…第２の補正位置（予め設定した回転角度位置）
【図１】
2016094911.tif 000003
【図２】
2016094911.tif 000004
【図３Ａ】
2016094911.tif 000005
【図３Ｂ】
2016094911.tif 000006
【図４】
2016094911.tif 000007
【図５】
2016094911.tif 000008
【図６Ａ】
2016094911.tif 000009
【図６Ｂ】
2016094911.tif 000010
【図７】
2016094911.tif 000011
【図８Ａ】
2016094911.tif 000012
【図８Ｂ】
2016094911.tif 000013
【図９】
2016094911.tif 000014
【図１０Ａ】
2016094911.tif 000015
【図１０Ｂ】
2016094911.tif 000016
【図１１Ａ】
2016094911.tif 000017
【図１１Ｂ】
2016094911.tif 000018
【図１２Ａ】
2016094911.tif 000019
【図１２Ｂ】
2016094911.tif 000020
【図１３】
2016094911.tif 000021
【図１４】
2016094911.tif 000022
【図１５】
2016094911.tif 000023
【図１６】
2016094911.tif 000024
【図１７】
2016094911.tif 000025